(57)【要約】  本開示は、複数のキャパシタコアと、各キャパシタコアの側面に配置される陽極バスバーと、前記陽極バスバーに重ねられ、前記陽極バスバーから絶縁される陰極バスバーと、複数の第１の接続シートであって、各第１の接続シートが前記陽極バスバーと各キャパシタコアの陽極とに接続される複数の第１の接続シートと、複数の第２の接続シートであって、各第２の接続シートが前記陰極バスバーと各キャパシタコアの陰極とに接続される複数の第２の接続シートと、を含み、前記複数のキャパシタコアの同じ側に配置される前記複数の第１の接続シートと前記複数の第２の接続シートは、実質的に交互に配列されるフィルムキャパシタを開示する。【選択図】図６
2017535968.tif 000002
【特許請求の範囲】
【請求項１】
複数のキャパシタコアと、
各キャパシタコアの側面に配置される陽極バスバーと、
前記陽極バスバーに重ねられ、前記陽極バスバーから絶縁される陰極バスバーと、
複数の第１の接続シートであって、各第１の接続シートが前記陽極バスバーと各キャパシタコアの陽極とに接続される複数の第１の接続シートと、
複数の第２の接続シートであって、各第２の接続シートが前記陰極バスバーと各キャパシタコアの陰極とに接続される複数の第２の接続シートと、を含み、
前記複数のキャパシタコアの同じ側に配置される前記複数の第１の接続シートと前記複数の第２の接続シートは、実質的に交互に配列されることを特徴とするフィルムキャパシタ。
【請求項２】
前記陽極バスバーに接続される第１の電極端子と、
前記陰極バスバーに接続される第２の電極端子とを更に含む請求項１に記載のフィルムキャパシタ。
【請求項３】
ケーシングを更に含み、
前記複数のキャパシタコアと、前記陽極バスバーと、前記陰極バスバーと、前記複数の第１の接続シートと、前記複数の第２の接続シートとが、前記ケーシング内に配置され、ポッティング絶縁体によって封止される請求項１から２のいずれかに記載のフィルムキャパシタ。
【請求項４】
前記陽極バスバーと前記陰極バスバーとの間に位置する絶縁シートを更に含む請求項１から３のいずれかに記載のフィルムキャパシタ。
【請求項５】
前記陽極バスバーが、各キャパシタコアの上面に取り付けられる請求項１から４のいずれかに記載のフィルムキャパシタ。
【請求項６】
各第１の接続シートが前記陽極バスバーと一体に形成され、各キャパシタコアの陽極に向かって屈曲しており、
各第２の接続シートが前記陰極バスバーと一体に形成され、各キャパシタコアの陰極に向かって屈曲している請求項１から５のいずれかに記載のフィルムキャパシタ。
【請求項７】
各キャパシタコアに接続された第１の接続端子が各第１の接続シートに設けられ、
各キャパシタコアに接続された第２の接続端子が各第２の接続シートに設けられる請求項１から５のいずれかに記載のフィルムキャパシタ。
【請求項８】
複数の前記第１の接続端子が設けられ、前記第１の接続シートの周縁に配置され、互いに離間されており、複数の前記第２の接続端子が設けられ、前記第２の接続シートの周縁に配置され、互いに離間されている請求項７に記載のフィルムキャパシタ。
【請求項９】
前記複数の第１の接続端子と前記複数の第２の接続端子とが、接続端子の複数の対を形成するように設けられる請求項８に記載のフィルムキャパシタ。
【請求項１０】
前記第１の接続端子と前記第１の接続シートとが一体に形成され、前記第２の接続端子と前記第２の接続シートとが一体に形成される請求項７に記載のフィルムキャパシタ。
【請求項１１】
前記複数のキャパシタコアが複数のカラム及び層として配列され、前記陽極バスバーが、前記キャパシタコアの上層に配置される請求項１から１０のいずれかに記載のフィルムキャパシタ。
【請求項１２】
前記複数のキャパシタコアが偶数個のカラムとして配列され、前記複数のキャパシタコアの同じ側に配置される前記第１の接続シートと前記第２の接続シートとが交互に配列される請求項１１に記載のフィルムキャパシタ。
【請求項１３】
前記複数のキャパシタコアが奇数個のカラムとして配列され、前記複数のキャパシタコアの１つの同じ側に配置される前記第１の接続シート又は前記第２の接続シートを除いて、前記複数のキャパシタコアの同じ側に配置される前記第１の接続シートと前記第２の接続シートとが交互に配列される請求項１１に記載のフィルムキャパシタ。
【発明の詳細な説明】
【技術分野】
【０００１】
本開示は、キャパシタに関し、より詳細には、フィルムキャパシタに関する。
【背景技術】
【０００２】
金属化フィルムキャパシタなどのフィルムキャパシタは、低損失、高耐電圧、温度特性、良好な周波数特性などの特性を有する。
【０００３】
特許文献１は、金属化フィルムキャパシタを開示する。前記金属化フィルムキャパシタの２つのバスは、キャパシタコアに接続され、前記キャパシタコアの両側に対向して配置される。特許文献２は、内部積層バスバーを有するキャパシタ構造を開示する。前記キャパシタ構造の第１及び第２のバスバーは、Ｌ字形を有し、前記第１及び第２のバスバーの底部は、互いに重ねられている。前記２つのバスバーの側壁は、互いに対向しており、溶接部分が設けられ、前記溶接部分は、キャパシタコアに溶接される。前記キャパシタにおいて、バスバーは、それぞれキャパシタコアの両側に配置され、互いに対向しているので、多くの問題が生じ得、例えば、バスバーの配列が不便になったり、バスバーの放熱に不利になることがある。更に、前記キャパシタは、インダクタンスが大きいこと、電流が不均一であることなど、他の解決すべき問題点を依然として有する。
【先行技術文献】
【特許文献】
【０００４】
【特許文献１】中国特許第１７１４４１５Ｂ号明細書
【特許文献２】中国実用新案第２０２３８４１７８Ｕ号明細書
【発明の概要】
【発明が解決しようとする課題】
【０００５】
本開示は、前記問題点の少なくとも１つをある程度解決することを目的とする。
【０００６】
したがって、本開示は、インダクタンスが小さく、電流が均一であり、良好な性能を有するフィルムキャパシタを提供する。
【０００７】
本開示の実施形態に係るフィルムキャパシタは、複数のキャパシタコアと、各キャパシタコアの側面に配置される陽極バスバーと、前記陽極バスバーに重ねられ、前記陽極バスバーから絶縁される陰極バスバーと、複数の第１の接続シートであって、各第１の接続シートが前記陽極バスバーと各キャパシタコアの陽極とに接続される複数の第１の接続シートと、複数の第２の接続シートであって、各第２の接続シートが前記陰極バスバーと各キャパシタコアの陰極とに接続される複数の第２の接続シートと、を含み、前記複数のキャパシタコアの同じ側に配置される前記複数の第１の接続シートと前記複数の第２の接続シートは、実質的に交互に配列される。
【０００８】
幾つかの実施形態においては、前記フィルムキャパシタは、前記陽極バスバーに接続される第１の電極端子と、前記陰極バスバーに接続される第２の電極端子とを更に含む。
【０００９】
幾つかの実施形態においては、前記フィルムキャパシタは、ケーシングを更に含み、前記複数のキャパシタコアと、前記陽極バスバーと、前記陰極バスバーと、前記複数の第１の接続シートと、前記複数の第２の接続シートとが、前記ケーシング内に配置され、ポッティング絶縁体によって封止される。
【００１０】
幾つかの実施形態においては、前記フィルムキャパシタは、前記陽極バスバーと前記陰極バスバーとの間に位置する絶縁シートを更に含む。
【００１１】
幾つかの実施形態においては、前記陽極バスバーが、各キャパシタコアの上面に取り付けられる。
【００１２】
幾つかの実施形態においては、各第１の接続シートが前記陽極バスバーと一体に形成され、各キャパシタコアの陽極に向かって屈曲しており、各第２の接続シートが前記陰極バスバーと一体に形成され、各キャパシタコアの陰極に向かって屈曲している。
【００１３】
幾つかの実施形態においては、各キャパシタコアに接続された第１の接続端子が各第１の接続シートに設けられ、各キャパシタコアに接続された第２の接続端子が各第２の接続シートに設けられる。
【００１４】
幾つかの実施形態においては、複数の前記第１の接続端子が設けられ、前記第１の接続シートの周縁に配置され、互いに離間されており、複数の前記第２の接続端子が設けられ、前記第２の接続シートの周縁に配置され、互いに離間されている。
【００１５】
幾つかの実施形態においては、前記複数の第１の接続端子と前記複数の第２の接続端子とが、接続端子の複数の対を形成するように設けられる。
【００１６】
幾つかの実施形態においては、前記第１の接続端子と前記第１の接続シートとが一体に形成され、前記第２の接続端子と前記第２の接続シートとが一体に形成される。
【００１７】
幾つかの実施形態においては、前記複数のキャパシタコアが複数のカラム及び層として配列され、前記陽極バスバーが、前記キャパシタコアの上層に配置される。
【００１８】
幾つかの実施形態においては、前記複数のキャパシタコアが偶数個のカラムとして配列され、前記複数のキャパシタコアの同じ側に配置される前記第１の接続シートと前記第２の接続シートとが交互に配列される。
【００１９】
幾つかの実施形態においては、前記複数のキャパシタコアが奇数個のカラムとして配列され、前記複数のキャパシタコアの１つの同じ側に配置される前記第１の接続シート又は前記第２の接続シートを除いて、前記複数のキャパシタコアの同じ側に配置される前記第１の接続シートと前記第２の接続シートとが交互に配列される。
【００２０】
本開示の実施形態に係るフィルムキャパシタによれば、複数のキャパシタコアの同じ側に配置される第１の接続シートと第２の接続シートとが交互に配列される、即ち、複数のキャパシタコアの両側に配列される構造を提供することによって、第１の接続シートと第２の接続シートとがそれぞれ交互に提供され、隣接する２つのキャパシタコアの電流方向が異なるので、隣接する２つのキャパシタコアのインダクタンスが互いに反対に作用することが可能となり、本開示に係るフィルムキャパシタの自己インダクタンスを低減することができ、フィルムキャパシタの内部の任意の位置を通る電流がより均一となることができ、フィルムキャパシタの遥かに良好な全体性能を提供する。
【００２１】
本開示の実施形態の更なる態様及び利点は、一部は以下の説明に記載され、一部は以下の説明から明らかとなり、又は本開示の実施形態の実施から理解されるであろう。
【００２２】
本開示の実施形態の前述及び他の態様及び利点は、添付の図面を参照しつつ記載される以下の説明から明らかとなり、一層容易に理解されるであろう。
【図面の簡単な説明】
【００２３】
【図１】図１は、本開示の実施形態に係るフィルムキャパシタの模式図である。
【図２】図２は、図１に示される本開示の実施形態に係るフィルムキャパシタの陽極バスバーと陰極バスバーの模式図である。
【図３】図３は、図１に示される本開示の実施形態に係るフィルムキャパシタの前面図である。
【図４】図４は、図１に示される本開示の実施形態に係るフィルムキャパシタの上面図である。
【図５】図５は、図１に示される本開示の実施形態に係るフィルムキャパシタの側面図である。
【図６】図６は、本開示の他の実施形態に係るフィルムキャパシタの模式図である。
【図７】図７は、図６に示される本開示の実施形態に係るフィルムキャパシタの陽極バスバーと陰極バスバーの模式図である。
【図８】図８は、図６に示される本開示の実施形態に係るフィルムキャパシタの前面図である。
【図９】図９は、図６に示される本開示の実施形態に係るフィルムキャパシタの上面図である。
【図１０】図１０は、図６に示される本開示の実施形態に係るフィルムキャパシタの側面図である。
【発明を実施するための形態】
【００２４】
本開示の実施形態を詳細に記述する。実施形態において、同一の若しくは類似の要素、及び同一の若しくは類似の機能を有する要素は、全体を通して同一の参照番号で表される。図面を参照して本明細書に記載される実施形態は、説明及び例示のためのものであり、本開示を一般的に理解するために使用される。これらの実施形態を、本開示を限定するものと解釈してはならない。
【００２５】
本明細書中において、「長さ」、「幅」、「厚み」、「上」、「下」、「前」、「後」、「左」、「右」、「垂直」、「水平」、「上部」、「底部」、「内側」、「外側」などの用語は、以下に記載するか又は図面に示される方向を指すものと解釈すべきであることを理解すべきである。これら相対的な用語は、説明の便宜のためのものであり、本開示は特定の位置で構成されたり動作したりする必要はない。更に、「第１」及び「第２」などの用語は、本明細書中では説明の目的で使用されるものであり、相対的な重要性若しくは意義を示す若しくは暗示する、又は言及されている技術的機構の数を暗示することを意図するものではない。このことから、「第１」及び「第２」によって表現される機構は、その機構を１超含むことがある。本開示の説明において、特段の断り又は限定のない限り、「複数の」とは、少なくとも２つ、例えば、２つ、３つ、などを意味する。
【００２６】
本開示の説明において、特段の断り又は限定のない限り、用語「マウントされる」、「支持される」、「接続される」、「連結される」及びそれらの派生語は、広く用いられ、例えば、機械的又は電気的マウンティング、接続、及び連結などを包含し、また、２つの部品の内部マウンティング、接続、及び連結であることができ、更に、直接及び間接マウンティング、接続、及び連結であることができ、当業者であれば、本開示の詳細な実施形態に応じて理解することができる。
【００２７】
本開示の実施形態に係るフィルムキャパシタ１００について、図面を参照して説明する。
【００２８】
図１〜１０に示されるように、本開示の実施形態に係るフィルムキャパシタ１００は、ケーシングと、複数のキャパシタコア５０と、陽極バスバー２０と、陰極バスバー３０と、それぞれが陽極バスバー２０に接続される複数の第１の接続シート２２と、それぞれが陰極バスバー３０に接続される複数の第２の接続シート３２と、陽極バスバー２０に接続される第１の電極端子２１と、陰極バスバー３０に接続される第２の電極端子３１とを含む。
【００２９】
具体的には、複数のキャパシタコア５０、陽極バスバー２０、陰極バスバー３０、複数の第１の接続シート２２、及び複数の第２の接続シート３２は、ケーシング内に配置され、ポッティング絶縁体によって封止される。陽極バスバー２０と陰極バスバー３０は、互いに重ねられており、更に、陰極バスバー３０が陽極バスバー２０に重ねられており、絶縁シート４０が陽極バスバー２０と陰極バスバー３０との間に設けられる。陽極バスバー２０は、キャパシタコア５０の側面に配置され、好ましくは、キャパシタコア５０の上面に配置される。第１の接続シート２２は、キャパシタコア５０の陽極に接続され、第２の接続シート３２は、キャパシタコア５０の陰極に接続され、複数のキャパシタコア５０の同じ側に配置される第１の接続シート２２と第２の接続シート３２は、交互に配列される。
【００３０】
言い換えると、陰極バスバー３０、絶縁シート４０、及び陽極バスバー２０は、上下方向に互いに重ねられている。即ち、陰極バスバー３０、絶縁シート４０、及び陽極バスバー２０は、上から下に順に互いに重ねられており、絶縁シート４０は、陽極バスバー２０と陰極バスバー３０との間に設けられ、陽極バスバー２０と陰極バスバー３０を互いから絶縁させる。複数のキャパシタコア５０は、陽極バスバー２０の長さ方向に設けられており、また、陰極バスバー３０の長さ方向に設けられている。そして、複数の第１の接続シート２２と複数の第２の接続シート３２もまた、陽極バスバー２０の長さ方向に設けられており、また、陰極バスバー３０の長さ方向に設けられている。
【００３１】
第１の接続シート２２は、陽極バスバー２０の前側エッジ又は後側エッジに垂直に接続することができ、第２の接続シート３２は、陰極バスバー３０の前側エッジ又は後側エッジに垂直に接続することができる。キャパシタコア５０の前側において、複数の第１の接続シート２２と複数の第２の接続シート３２が設けられ、複数の第１の接続シート２２と複数の第２の接続シートは、交互に配列される。陽極バスバー２０の長さ方向における（即ち、陰極バスバー３０の長さ方向における）キャパシタコア５０の隣接する２つは、それぞれ第１の接続シート２２と第２の接続シート３２に接続される。
【００３２】
したがって、本開示の実施形態に係るフィルムキャパシタ１００では、第１の接続シート２２と第２の接続シート３２とが、キャパシタコア５０に直接、溶接によって接続されることができ、これは、溶接の自動化に便利であり、製品品質と製造効率を効果的に改善し、コストを低減する。陰極バスバー３０、陽極バスバー２０、及び絶縁シート４０は、キャパシタコア５０の側面、即ち、キャパシタコア５０の上面に重ねられ、したがって、絶縁ゲートバイポーラトランスレータ（ＩＧＢＴ）の引出端子からの距離が遥かに短くなり、それに対応するインダクタンスが遥かに低くなる。そして、陽極バスバー２０と陰極バスバー３０の設計は、非常にシンプルであり、加えて、その重ねられた領域に圧力がかかることがないので、陽極と陰極との間の接続が生じることがなく、製造コストを低減する。
【００３３】
更に、キャパシタコア５０の同じ側に配置される第１の接続シート２２と第２の接続シート３２とが交互に配列される、即ち、キャパシタコア５０の両側で、第１の接続シート２２と第２の接続シート３３とがそれぞれ交互に提供される構造を提供することによって、隣接する２つのキャパシタコア５０の電流方向が異なり、隣接する２つのキャパシタコア５０のインダクタンスが互いに反対に作用することが可能となり、本開示に係るフィルムキャパシタ１００の自己インダクタンスを低減することができ、フィルムキャパシタ１００の内部の任意の位置を通る電流がより均一となることができ、フィルムキャパシタ１００の遥かに良好な全体性能を提供する。
【００３４】
本開示に係る一実施形態においては、陽極バスバー２０は、キャパシタコア５０の上面に取り付けられる。言い換えると、陽極バスバー２０は、その下側面で直接キャパシタコア５０の上面に接触する。前述の構造では、キャパシタコア５０とＩＧＢＴの引出端子との間の距離を更に低減することができ、それに伴い、インダクタンスを更に低減することができる。
【００３５】
本開示に係る幾つかの実施形態においては、第１の接続シート２２は、陽極バスバー２０と一体に形成され、キャパシタコア５０の陽極に向かって屈曲している。更に、第２の接続シート３２は、陰極バスバー３０と一体に形成され、キャパシタコア５０の陰極に向かって屈曲している。
【００３６】
図２及び図７に示されるように、第１の接続シート２２は、陽極バスバー２０の一部であり、陽極バスバー２０の前側エッジ又は後側エッジから下方に延在し、陽極バスバー２０に対して垂直であり、キャパシタコア５０の陽極に、即ち、キャパシタコア５０の前側又は後側端面に取り付けられる。第２の接続シート３２は、陰極バスバー３０の一部であり、陰極バスバー３０の前側エッジ又は後側エッジから下方に延在し、陰極バスバー３０に対して垂直であり、キャパシタコア５０の陰極に、即ち、キャパシタコア５０の前側又は後側端面に取り付けられる。したがって、フィルムキャパシタ１００は、更に簡略化され、形成及び組立てがより容易になり、製造コストを更に低減する。
【００３７】
本開示の実施形態によれば、第１の接続シート２２に、キャパシタコア５０に接続される第１の接続端子２２１が設けられ、第２の接続シート３２に、キャパシタコア５０に接続される第２の接続端子３２１が設けられる。幾つかの実施形態においては、複数の第１の接続端子２２１が設けられ、第１の接続シート２２の周縁に配置され、互いに離間されており、複数の第２の接続端子３２１が設けられ、第２の接続シート３２の周縁に配置され、互いに離間されている。
【００３８】
具体的には、図１及び図６に示されるように、本開示に係る幾つかの実施形態においては、複数の第１の接続端子２２１と複数の第２の接続端子３２１とが、接続端子の複数の対を形成するように設けられ、各対において、第１の接続端子２２１は、第２の接続端子３２１に対向している。言い換えると、複数の第１の接続端子２２１は、第１の接続シート２２の周縁に配置され、キャパシタコア５０の陽極に、即ち、キャパシタコア５０の前側又は後側端面に接続される。複数の第２の接続端子３２１は、第２の接続シート３２の周縁に配置され、キャパシタコア５０の陰極に、即ち、キャパシタコア５０の前側又は後側端面に接続される。
【００３９】
本開示に係る一実施形態においては、第１の接続端子２２１と第１の接続シート２２とは、一体に形成され、第２の接続端子３２１と第２の接続シート３２とは、一体に形成される。したがって、この構造を有するフィルムキャパシタ１００は、より高い構造安定性を示し、形成及び組立てがより容易になり、製造コストを更に低減する。
【００４０】
本開示に係る幾つかの実施形態においては、図３及び図８に示されるように、複数のキャパシタコア５０は、複数のカラム及び層として配列される。陽極バスバー２０は、キャパシタコア５０の上層に配置される。前述の構造において、複数のキャパシタコア５０は、フィルムキャパシタ１００内で組み立てることができ、陽極バスバー２０と陰極バスバー３０とが重ねられた領域に対してプレスフィット処理を行う必要がなく、製造コストを低減する。
【００４１】
図３及び図８に示される本開示の実施形態においては、第１の接続端子２２１と第２の接続端子３２１の数のそれぞれは、キャパシタコア５０が配列される層の数に対応することができる。第１の接続シート２２における第１の接続端子２２１の配列位置は、第２の接続シート３２における第２の接続端子３２１の位置と同じであることができ、その結果、各キャパシタコア５０の両端面が、対応する第１の接続端子２２１と第２の接続端子３２１にそれぞれ接続されることができる。
【００４２】
各カラムにおける複数のキャパシタコア５０の数が偶数であっても奇数であってもよいことを考慮すると、第１の接続シート２２と第２の接続シート３２の各種配列を提供することができる。
【００４３】
例えば、図６〜図１０に示されるように、複数のキャパシタコア５０が偶数個のカラムとして配列される、即ち、陽極バスバー２０の長さ方向における（即ち、陰極バスバー３０の長さ方向における）各層におけるキャパシタコア５０の数が偶数の場合、複数のキャパシタコア５０の同じ側に配置される第１の接続シート２２と第２の接続シート３２は、交互に配列される。これは、陽極バスバー２０の長さ方向における（即ち、陰極バスバー３０の長さ方向における）各層におけるキャパシタコア５０の数が偶数の場合、任意の隣接する２つのキャパシタコア５０のインダクタンスが互いに反対に作用することができ、フィルムキャパシタ１００の自己インダクタンスがより効果的に低減されることを意味する。
【００４４】
図１〜図５に示されるように、複数のキャパシタコア５０が奇数個のカラムで配列される、即ち、陽極バスバー２０の長さ方向における（即ち、陰極バスバー３０の長さ方向における）各層におけるキャパシタコア５０の数が奇数の場合、複数のキャパシタコア５０の１つの同じ側に配置される第１の接続シート２２又は第２の接続シート３２を除いて、複数のキャパシタコア５０の同じ側に配置される第１の接続シート２２と第２の接続シート３２は、交互に配列される。即ち、複数のキャパシタコア５０の１つは、ある位置に配置させることができ、複数のキャパシタコア５０の残りの同じ側に配置される第１の接続シート２２と第２の接続シート３２は、交互に配列される。これは、複数のキャパシタコア５０の１つを除いて、複数のキャパシタコア５０の残りのうち任意の隣接する２つが互いに反対に作用することができ、フィルムキャパシタ１００の自己インダクタンスがより効果的に低減されることを意味する。ここで、複数のキャパシタコア５０の１つは、任意の位置に配置することができる。具体的には、複数のキャパシタコア５０の残りが本質部分となり、複数のキャパシタコア５０の１つが、本質部分の左端若しくは右端、又は本質部分のうちの任意の位置に配置することができるが、特に限定はない。
【００４５】
本開示の実施形態に係るフィルムキャパシタ１００の他の構造及び機能は、当業者に知られているので、本明細書では詳細に記載しない。
【００４６】
本明細書を通じて、「一実施形態」、「幾つかの実施形態」、「実施形態」、「具体例」、又は「幾つかの例」に対する言及は、その実施形態又は例に関して説明される特定の機構、構造、材料、又は特徴が、本開示の少なくとも１つの実施形態又は例に含まれることを意味する。したがって、本明細書を通じて、様々な箇所における、これらの表現の出現は、必ずしも本開示の同一の実施形態又は例に言及するものではない。更に、特定の機構、構造、材料、又は特徴は、１以上の実施形態又は例において任意の好適な様式で組み合わせることができる。
【００４７】
説明のための実施形態を示して説明してきたが、前記実施形態は説明的なものであり、本開示を限定するものと解釈することはできず、当業者であれば、これらの実施形態において、本開示の範囲から逸脱することなく変更、代替、及び修正を加えることができよう。
【符号の説明】
【００４８】
１００  フィルムキャパシタ
２０    陽極バスバー
２１    第１の電極端子
２２    第１の接続シート
２２１  第１の接続端子
３０    陰極バスバー
３１    第２の電極端子
３２    第２の接続シート
３２１  第２の接続端子
４０    絶縁シート
５０    キャパシタコア
【図１】
2017535968.tif 000003
【図２】
2017535968.tif 000004
【図３】
2017535968.tif 000005
【図４】
2017535968.tif 000006
【図５】
2017535968.tif 000007
【図６】
2017535968.tif 000008
【図７】
2017535968.tif 000009
【図８】
2017535968.tif 000010
【図９】
2017535968.tif 000011
【図１０】
2017535968.tif 000012
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
複数のキャパシタコアと、
前記複数のキャパシタコアのそれぞれの側面に配置される陽極バスバーと、
前記陽極バスバーに重ねられ、前記陽極バスバーから絶縁される陰極バスバーと、
複数の第１の接続シートであって、前記複数の第１の接続シートのそれぞれが前記陽極バスバーと前記複数のキャパシタコアのそれぞれの陽極とに接続される複数の第１の接続シートと、
複数の第２の接続シートであって、前記複数の第２の接続シートのそれぞれが前記陰極バスバーと前記複数のキャパシタコアのそれぞれの陰極とに接続される複数の第２の接続シートと、を含み、
前記複数のキャパシタコアの同じ側に配置される前記複数の第１の接続シートと前記複数の第２の接続シートは、交互に配列されることを特徴とするフィルムキャパシタ。
【請求項２】
前記陽極バスバーに接続される第１の電極端子と、
前記陰極バスバーに接続される第２の電極端子とを更に含む請求項１に記載のフィルムキャパシタ。
【請求項３】
ケーシングを更に含み、
前記複数のキャパシタコアと、前記陽極バスバーと、前記陰極バスバーと、前記複数の第１の接続シートと、前記複数の第２の接続シートとが、前記ケーシング内に配置され、ポッティング絶縁体によって封止される請求項１から２のいずれかに記載のフィルムキャパシタ。
【請求項４】
前記陽極バスバーと前記陰極バスバーとの間に位置する絶縁シートを更に含む請求項１から３のいずれかに記載のフィルムキャパシタ。
【請求項５】
前記陽極バスバーが、前記複数のキャパシタコアのそれぞれの上面に取り付けられる請求項１から４のいずれかに記載のフィルムキャパシタ。
【請求項６】
前記複数の第１の接続シートのそれぞれが前記陽極バスバーと一体に形成され、前記複数のキャパシタコアのそれぞれの陽極に向かって屈曲しており、
前記複数の第２の接続シートのそれぞれが前記陰極バスバーと一体に形成され、前記複数のキャパシタコアのそれぞれの陰極に向かって屈曲している請求項１から５のいずれかに記載のフィルムキャパシタ。
【請求項７】
前記複数のキャパシタコアのそれぞれに接続された第１の接続端子が前記複数の第１の接続シートのそれぞれに設けられ、
前記複数のキャパシタコアのそれぞれに接続された第２の接続端子が前記複数の第２の接続シートのそれぞれに設けられる請求項１から５のいずれかに記載のフィルムキャパシタ。
【請求項８】
複数の前記第１の接続端子が設けられ、前記第１の接続シートの周縁に配置され、互いに離間されており、複数の前記第２の接続端子が設けられ、前記第２の接続シートの周縁に配置され、互いに離間されている請求項７に記載のフィルムキャパシタ。
【請求項９】
前記複数の第１の接続端子と前記複数の第２の接続端子とが、接続端子の複数の対を形成するように設けられる請求項８に記載のフィルムキャパシタ。
【請求項１０】
前記第１の接続端子と前記第１の接続シートとが一体に形成され、前記第２の接続端子と前記第２の接続シートとが一体に形成される請求項７に記載のフィルムキャパシタ。
【請求項１１】
前記複数のキャパシタコアが複数のカラム及び層として配列され、前記陽極バスバーが、前記キャパシタコアの上層に配置される請求項１から１０のいずれかに記載のフィルムキャパシタ。
【請求項１２】
前記複数のキャパシタコアが偶数個のカラムとして配列され、前記複数のキャパシタコアの同じ側に配置される前記第１の接続シートと前記第２の接続シートとが交互に配列される請求項１１に記載のフィルムキャパシタ。
【請求項１３】
前記複数のキャパシタコアが奇数個のカラムとして配列され、前記複数のキャパシタコアの１つの同じ側に配置される前記第１の接続シート又は前記第２の接続シートを除いて、前記複数のキャパシタコアの同じ側に配置される前記第１の接続シートと前記第２の接続シートとが交互に配列される請求項１１に記載のフィルムキャパシタ。
【国際調査報告】
2017535968.tif 000013
2017535968.tif 000014